(57)【要約】【課題】複数の番組を相互の時間関係を保持したまま格納し、実際のリアルタイム放送と同様に再生する。【解決手段】本発明の番組格納再生システムは、番組＃１〜＃３の放送開始／終了時刻に基づくマルチアングル区間において、番組＃１〜＃３が重複する重複時間帯では、番組＃１〜＃３の放送時間の長さが一致するように映像データを分割し、番組＃１〜＃３が重複しない非重複時間帯では、番組＃１〜＃３のいずれも放送されていない空白位置にダミーの映像データを挿入する分割部２１と、分割部２１にて分割または挿入された映像データをＭＰＥＧ−２形式の動画データに変換するエンコーダ２２と、エンコーダ２２にて変換された動画データを１つに統合した動画統合ファイルを作成してＨＤＤ３０に格納するとともに、動画統合ファイル内の動画のインデックスとなる動画結合情報ファイルを作成してＨＤＤ３０に格納するファイル作成部２３とを有する。【選択図】図１
2005109685.tif 000002
【特許請求の範囲】
【請求項１】
複数の番組を所定の記録媒体に格納する番組格納手段と、前記記録媒体に格納された前記複数の番組を再生表示する番組再生手段とを有してなる番組格納再生システムにおいて、
前記番組格納手段は、
前記複数の番組の中で最も早く放送が開始される番組の放送開始時刻と最も遅く放送が終了する番組の放送終了時刻との間の区間を、前記複数の番組を互いに異なるアングルで放送しているマルチアングル区間とみなし、前記マルチアングル区間内に前記複数の番組の放送時間の一部または全部が重複する重複時間帯がある場合、当該重複時間帯では、前記複数の番組の放送時間の長さが一致するように当該複数の番組の番組データをそれぞれ分割し、また、前記マルチアングル区間内に、前記重複時間帯の他に前記複数の番組の放送時間が重複しない非重複時間帯もある場合、当該非重複時間帯では、前記複数の番組のいずれも放送されていない空白位置にダミーの映像データを挿入する分割手段と、
前記分割手段にて分割もしくは挿入されたそれぞれの映像データを所定の動画圧縮形式の動画データに変換する動画変換手段と、
前記動画変換手段にて変換されたそれぞれの動画データを１つに統合した動画統合ファイルを作成して前記記録媒体に格納するファイル作成手段とを有する、番組格納再生システム。
【請求項２】
前記動画変換手段は、前記分割手段にて分割されたそれぞれの映像データを前記所定の動画圧縮形式の動画データに変換するに際し、前記重複時間帯における前記複数の番組のそれぞれの動画データの表示時刻情報を一致させ、
前記ファイル作成手段は、前記動画統合ファイルを作成して前記記録媒体に格納すると同時に、前記動画統合ファイル内の動画データのインデックスとなる動画結合情報ファイルを作成して前記記録媒体に格納する、請求項１に記載の番組格納再生システム。
【請求項３】
前記番組再生手段は、前記記録媒体に前記動画結合情報ファイルとして格納されているインデックスに基づいて、前記記録媒体に前記動画統合ファイルとして格納されている前記複数の番組をアングルを切り換えて再生表示すると同時に、切り換え先のアングルに対応する番組を放送した放送局または当該放送局のチャンネルを表示する、請求項２に記載の番組格納再生システム。
【請求項４】
複数の番組を所定の記録媒体に格納する番組格納手段と、前記記録媒体に格納された前記複数の番組を再生表示する番組再生手段とによる番組格納再生方法において、
前記番組格納手段が、前記複数の番組の中で最も早く放送が開始される番組の放送開始時刻と最も遅く放送が終了する番組の放送終了時刻との間の区間を、前記複数の番組を互いに異なるアングルで放送しているマルチアングル区間とみなす第１のステップと、
前記番組格納手段が、前記マルチアングル区間内に前記複数の番組の放送時間の一部または全部が重複する重複時間帯がある場合、当該重複時間帯では、前記複数の番組の放送時間の長さが一致するように当該複数の番組の番組データをそれぞれ分割する第２のステップと、
前記番組格納手段が、前記マルチアングル区間内に、前記重複時間帯の他に前記複数の番組の放送時間が重複しない非重複時間帯もある場合、当該非重複時間帯では、前記複数の番組のいずれも放送されていない空白位置にダミーの映像データを挿入する第３のステップと、
前記番組格納手段が、前記分割もしくは挿入されたそれぞれの映像データを所定の動画圧縮形式の動画データに変換する第４のステップと、
前記番組格納手段が、前記所定の動画圧縮形式に変換されたそれぞれの動画データを１つに統合した動画統合ファイルを作成して前記記録媒体に格納する第５のステップとを有する、番組格納再生方法。
【請求項５】
前記第４のステップでは、前記分割されたそれぞれの映像データを前記所定の動画圧縮形式の動画データに変換するに際し、前記重複時間帯における前記複数の番組のそれぞれの動画データの表示時刻情報を一致させ、
前記第５のステップでは、前記動画統合ファイルを作成して前記記録媒体に格納すると同時に、前記動画統合ファイル内の動画データのインデックスとなる動画結合情報ファイルを作成して前記記録媒体に格納する、請求項４に記載の番組格納再生方法。
【請求項６】
前記番組再生手段が、前記記録媒体に前記動画結合情報ファイルとして格納されているインデックスに基づいて、前記記録媒体に前記動画統合ファイルとして格納されている前記複数の番組をアングルを切り換えて再生表示すると同時に、切り換え先のアングルに対応する番組を放送した放送局または当該放送局のチャンネルを表示する第６のステップをさらに有する、請求項５に記載の番組格納再生方法。
【請求項７】
複数の番組を所定の記録媒体に格納するとともに、前記記録媒体に格納された前記複数の番組を再生表示する番組格納再生装置に実行させるプログラムにおいて、
前記複数の番組の中で最も早く放送が開始される番組の放送開始時刻と最も遅く放送が終了する番組の放送終了時刻との間の区間を、前記複数の番組を互いに異なるアングルで放送しているマルチアングル区間とみなす第１のステップと、
前記マルチアングル区間内に前記複数の番組の放送時間の一部または全部が重複する重複時間帯がある場合、当該重複時間帯では、前記複数の番組の放送時間の長さが一致するように当該複数の番組の番組データをそれぞれ分割する第２のステップと、
前記マルチアングル区間内に、前記重複時間帯の他に前記複数の番組の放送時間が重複しない非重複時間帯もある場合、当該非重複時間帯では、前記複数の番組のいずれも放送されていない空白位置にダミーの映像データを挿入する第３のステップと、
前記分割もしくは挿入されたそれぞれの映像データを所定の動画圧縮形式の動画データに変換する第４のステップと、
前記所定の動画圧縮形式に変換したそれぞれの動画データを１つに統合した動画統合ファイルを作成して前記記録媒体に格納する第５のステップとを有する、プログラム。
【請求項８】
前記第４のステップでは、前記分割されたそれぞれの映像データを前記所定の動画圧縮形式の動画データに変換するに際し、前記重複時間帯における前記複数の番組のそれぞれの動画データの表示時刻情報を一致させ、
前記第５のステップでは、前記動画統合ファイルを作成して前記記録媒体に格納すると同時に、前記動画統合ファイル内の動画データのインデックスとなる動画結合情報ファイルを作成して前記記録媒体に格納する、請求項７に記載のプログラム。
【請求項９】
前記記録媒体に前記動画結合情報ファイルとして格納されているインデックスに基づいて、前記記録媒体に前記動画統合ファイルとして格納されている前記複数の番組をアングルを切り換えて再生表示すると同時に、切り換え先のアングルに対応する番組を放送した放送局または当該放送局のチャンネルを表示する第６のステップをさらに有する、請求項８に記載のプログラム。
【発明の詳細な説明】
【技術分野】
【０００１】
本発明は、複数の番組を所定の記録媒体に格納し、再生する番組格納再生システム、番組格納再生方法、プログラムに関する。
【背景技術】
【０００２】
近年、ＴＶ放送された番組を格納する一部の番組格納装置では、複数のチューナを内蔵することで、重複する時間帯に互いに異なる放送局にてＴＶ放送された、複数の番組を格納することができるようになっている。その一例として、特許文献１には、複数の番組を格納し、これら複数の番組へのランダムアクセスを可能とした技術が開示されている。
【特許文献１】国際公開第００／０２３８６号パンフレット
【発明の開示】
【発明が解決しようとする課題】
【０００３】
ところで、最近は、リアルタイムのＴＶ放送を視聴する際の視聴スタイルが多様化しており、その一例として、重複する時間帯にＴＶ放送される複数の番組をランダムに切り換えて視聴するといった視聴スタイルがある。このような視聴スタイルを好むユーザにとっては、上述した従来の番組格納装置により格納した複数の番組を再生する際にも、同様の視聴スタイルで番組を再生、視聴したいという要求があると考えられる。
【０００４】
しかしながら、上述した従来の番組格納装置においては、重複する時間帯にＴＶ放送された複数の番組を格納する場合、これらの複数の番組を、相互の時間関係は考慮せずに個別にファイル化し、格納していた。
【０００５】
したがって、例えば、重複する時間帯に放送された２つの番組＃１，＃２を格納している場合、番組＃１の再生途中で番組＃２の再生が選択されると、番組＃２を最初から再生してしまい、番組＃１，＃２をランダムに切り換えるといった視聴スタイルで番組＃１，＃２を再生、視聴することができないという問題点がある。
【０００６】
そこで、本発明の目的は、複数の番組を相互の時間関係を保持したまま記録媒体に格納し、実際のリアルタイム放送と同様に再生することができる番組格納再生システム、番組格納再生方法、プログラムを提供することにある。
【課題を解決するための手段】
【０００７】
上記目的を達成するために本発明は、複数の番組を所定の記録媒体に格納する番組格納手段と、前記記録媒体に格納された前記複数の番組を再生表示する番組再生手段とを有してなる番組格納再生システムにおいて、前記番組格納手段は、前記複数の番組の中で最も早く放送が開始される番組の放送開始時刻と最も遅く放送が終了する番組の放送終了時刻との間の区間を、前記複数の番組を互いに異なるアングルで放送しているマルチアングル区間とみなし、前記マルチアングル区間内に前記複数の番組の放送時間の一部または全部に重複時間帯がある場合、当該重複時間帯では、前記複数の番組の放送時間の長さが一致するように当該複数の番組の番組データをそれぞれ分割し、また、前記マルチアングル区間内に、前記重複時間帯の他に前記複数の番組の放送時間の非重複時間帯もある場合、当該非重複時間帯では、前記複数の番組のいずれも放送されていない空白位置にダミーの映像データを挿入する分割手段と、前記分割手段にて分割もしくは挿入されたそれぞれの映像データを所定の動画圧縮形式の動画データに変換する動画変換手段と、前記動画変換手段にて変換されたそれぞれの動画データを１つに統合した動画統合ファイルを作成して前記記録媒体に格納するファイル作成手段とを有することを特徴とするものである。
【０００８】
この構成によれば、マルチアングル区間内の複数の番組をマルチアングル映像として相互の時間関係を保持したまま記録媒体に格納しているため、番組再生手段は、記録媒体に格納された複数の番組を、アングルを切り換えて再生表示することができる。これにより、ユーザは、リアルタイムのＴＶ放送を視聴する場合と同様に、複数の番組をランダムに切り換えるといった視聴スタイルで再生、視聴することができる。
【０００９】
また、マルチアングル区間内の非重複時間帯では、複数の番組のいずれも放送されていない空白位置にダミーの映像データを挿入しているため、ユーザは、マルチアングル映像の再生表示時に、総チャンネル数が常に同一であるものとしてアングル切り換えを行うことができる。例えば、ある重複時間帯では２つの番組の放送時間が重複し、別の重複時間帯では３つの番組の放送時間が重複している場合を考える。このような場合、上記のようにダミーの映像データを挿入しなければ、前者の重複時間帯では総チャンネル数が２つであるものとしてアングル切り換えが行われるが、後者の重複時間帯では総チャンネル数が３つであるものとしてアングル切り換えが行われる。これに対して、上記のようにダミーの映像データを挿入することにより、ユーザは、総チャンネル数が常に同一であるものとしてアングル切り換えを行うことができる。
【００１０】
また、前記動画変換手段は、前記分割手段にて分割されたそれぞれの映像データを前記所定の動画圧縮形式の動画データに変換するに際し、前記重複時間帯における前記複数の番組のそれぞれの動画データの表示時刻情報を一致させ、前記ファイル作成手段は、前記動画統合ファイルを作成して前記記録媒体に格納すると同時に、前記動画統合ファイル内の動画データのインデックスとなる動画結合情報ファイルを作成して前記記録媒体に格納することとしても良い。
【００１１】
この構成によれば、重複時間帯における複数の番組の表示時刻情報が一致するように所定形式の動画データへの変換を行い、かつ、その動画データのインデックスを作成しているため、番組再生手段によるマルチアングル映像の再生表示時の便宜を図ることができる。
【００１２】
すなわち、番組再生手段は、マルチアングル映像区間内のある番組の再生途中で別番組の再生が選択された場合、動画データのインデックスに基づいて、同一のマルチアングル映像区間内の別番組の動画データを読み出し、別番組の再生が選択された時点の表示時刻情報に基づいて、その時刻位置から別番組の動画データを再生すれば良い。
【００１３】
なお、前記番組再生手段は、前記記録媒体に前記動画結合情報ファイルとして格納されているインデックスに基づいて、前記記録媒体に前記動画統合ファイルとして格納されている前記複数の番組をアングルを切り換えて再生表示すると同時に、切り換え先のアングルに対応する番組を放送した放送局または当該放送局のチャンネルを表示することとしても良い。
【００１４】
この構成によれば、ユーザは、リアルタイムのＴＶ放送を視聴する場合と同様の感覚で、複数の番組をランダムに切り換えて再生、視聴することができる。
【発明の効果】
【００１５】
以上説明したように本発明においては、複数の番組を相互の時間関係を維持したままマルチアングル映像として格納し、マルチアングル映像として再生、表示することができるため、以下に記載するような効果を奏する。
【００１６】
第１の効果は、リアルタイムのＴＶ放送を視聴する場合と同様に、複数の番組をランダムに切り換えるといった視聴スタイルで再生、視聴することができるということである。
【００１７】
第２の効果は、デジタル放送やケーブルＴＶ放送で試験的に行われているマルチアングル放送の番組も同様に格納することができるということである。
【００１８】
第３の効果は、視聴率調査を行う場合にも、同時刻に他局でどのような番組が放送されていたなどを容易に把握することができるということである。
【００１９】
第４の効果は、タイムシフト録画にも対応することができ、さらに、タイムシフト録画のための記録フォーマットとして本発明を適用することができるということである。
【発明を実施するための最良の形態】
【００２０】
以下、本発明を実施するための最良の形態について図面を参照して説明する。
【００２１】
図１は、本発明の一実施形態による番組格納再生システムの構成を示す図である。
【００２２】
図１に示すように本実施形態による番組格納再生システムは、受信手段としてのチューナ１０1〜１０3と、番組格納部２０と、記録媒体であるＨＤＤ（Ｈａｒｄ  Ｄｉｓｋ  Ｄｒｉｖｅ）３０と、番組再生部４０とを有している。なお、図１においては、上記の全ての構成要素が番組格納再生装置１内に設けられているが、例えば、記録媒体が移設可能なＤＶＤ等であれば、番組再生部４０を番組格納再生装置１の外部に独立に設けても良い。この番組格納再生装置１は、例えば、パーソナルコンピュータなどにより構成することができる。
【００２３】
チューナ１０1〜１０3は、不図示のアンテナを経由して、互いに異なる放送局にて放送されるＴＶ放送波に含まれる番組＃１〜＃３をそれぞれ受信する。なお、チューナ１０1〜１０3にて受信されるＴＶ放送波は、アナログ放送またはデジタル放送のどちらでも良い。
【００２４】
番組格納部２０は、番組＃１〜＃３の中で最も早く放送が開始される番組の放送開始時刻と最も遅く放送が終了する番組の放送終了時刻との間の区間を、番組＃１〜＃３を互いに異なるアングルで放送しているマルチアングル区間とみなし、マルチアングル区間内の番組＃１〜＃３をマルチアングル映像化し、１つのファイルに統合した上で、ＨＤＤ３０に格納する。
【００２５】
ここで、マルチアングル映像とは、同一時間軸（タイムライン）上で、ある映像を互いに異なる複数のアングルから撮影した映像のことである。例えば、ＤＶＤのマルチアングル規格では、時間長さが同じであれば最大で９つのアングルのマルチアングル映像を管理することができるとされている。また、チャンネル数の多いケーブルＴＶ放送やデジタル放送では、スポーツやコンサートなどの番組を対象として、複数チャンネルでマルチアングル映像を放送するマルチアングル放送が試験的に行われている。
【００２６】
番組格納部２０は、上記動作を行うために、分割部２１と、動画変換手段としてのエンコーダ２２と、ファイル作成部２３とを備えている。
【００２７】
分割部２１は、マルチアングル区間内に、番組＃１〜＃３の放送時間の一部または全部が重複する重複時間帯がある場合、当該重複時間帯では、番組＃１〜＃３の放送時間の長さが一致するように番組＃１〜＃３の映像データをそれぞれ分割する。また、分割部２１は、番組＃１〜＃３の放送時間の一部にのみ重複時間帯がある場合、すなわち、マルチアングル区間内に、上記の重複時間帯の他に番組＃１〜＃３の放送時間が重複しない非重複時間帯もある場合、当該非重複時間帯では、番組＃１〜＃３のいずれも放送されていない空白位置にダミーの映像データを挿入する。
【００２８】
エンコーダ２２は、分割部２１にて分割または挿入されたそれぞれの映像データをＭＰＥＧ−２（Ｍｏｖｉｎｇ  Ｐｉｃｔｕｒｅ  Ｅｘｐｅｒｔｓ  Ｇｒｏｕｐ  ｐｈａｓｅ−２）形式の動画データに変換する。なお、エンコーダ２２は、ＭＰＥＧ−２形式への動画変換時に、重複時間帯における番組＃１〜＃３の動画データのＰＴＳ（Ｐｒｅｓｅｎｔａｔｉｏｎ  Ｔｉｍｅ  Ｓｔａｍｐ：表示時刻情報）を一致させるが、その説明は後述する。
【００２９】
ファイル作成部２３は、エンコーダ２２にて変換されたそれぞれの動画データを１つに統合した動画統合ファイルを作成してＨＤＤ３０に格納するとともに、動画統合ファイル内の動画データのインデックスとなる動画結合情報ファイルを作成してＨＤＤ３０に格納する。
【００３０】
番組再生部４０は、ＨＤＤ３０に動画結合情報ファイルとして格納されているインデックスに基づいて、ＨＤＤ３０に動画統合ファイルとして格納されている番組＃１〜＃３を、アングルを切り換えて再生表示する。
【００３１】
以下、図１に示した番組格納再生システムの動作について、図２〜図６を参照して説明する。
【００３２】
図２を参照すると、まず、ユーザは、番組格納再生装置１内の不図示のインターフェースを介して、電子番組表に相当するＥＰＧ（Ｅｌｅｃｔｒｏｎｉｃ  Ｐｒｏｇｒａｍ  Ｇｕｉｄｅ）データ等から取得した情報に基づき、番組＃１〜＃３の録画予約の指示を行う（ステップ２０１）。ここでは、ユーザは、図３に示すように、一部の放送時間が重複する番組＃１〜＃３の録画予約を行うものとする。
【００３３】
このとき、番組格納再生装置１内のファイル作成部２３では、ＥＰＧデータから、番組＃１〜＃３のチャンネル番号、放送局、放送時間帯等の情報を得て、これを不図示のメモリ等に格納しておくものとする。なお、ＥＰＧデータの取得方法については公知の方法を用いることができ、また本発明の本質的な部分ではないため、説明を省略する。
【００３４】
ここで、番組＃１〜＃３の放送開始時刻になると、該当するチューナ１０1〜１０3にて、該当する番組＃１〜＃３をそれぞれ受信し（ステップ２０２）、エンコーダ２２にて、該当するチューナ１０1〜１０3にて受信された番組＃１〜＃３の映像データをそれぞれＭＰＥＧ−２形式の動画データに変換した上で、個別にＨＤＤ３０に格納する（ステップ２０３）。
【００３５】
その一方、分割部２１は、番組＃１〜＃３の中で、最も早く放送が開始される番組＃１の放送開始時刻と最も遅く放送が終了する番組＃３の放送終了時刻との間の区間を、番組＃１〜＃３を互いに異なるアングルで放送しているマルチアングル区間とみなし、マルチアングル区間内において、番組＃１〜＃３の放送時間の一部または全部が相互に重複している重複時間帯があるかを検出する（ステップ２０４）。ここでは、分割部２１は、図３に示すように、番組＃１〜＃３の放送時間が一部で重複していることを検出する。具体的には、分割部２１は、重複時間帯Ｔ２においては、番組＃１と番組＃２と番組＃３とが重複し、重複時間帯Ｔ３においては、番組＃２と番組＃３とが重複し、非重複時間帯Ｔ１，Ｔ４においては、番組＃１〜＃３の放送時間が重複していないと検出する。このように、３つの番組が重複していなくても、２つの番組が重複する時間帯（図３の重複時間帯Ｔ３）があれば、その時間帯も重複時間帯とする。
【００３６】
ステップ２０４において、マルチアングル区間内に、番組＃１〜＃３の放送時間に重複時間帯Ｔ２，Ｔ３があることを検出した場合（ステップ２０５のＹｅｓ）、分割部２１は、図４に示すように、重複時間帯Ｔ２，Ｔ３では、番組＃１〜＃３の放送時間の長さが一致するように、番組＃１の映像データを番組＃１−１〜＃１−２の２つの映像データに分割し、番組＃２の映像データを番組＃２−１〜＃２−２の２つの映像データに分割し、番組＃３の映像データを番組＃３−１〜＃３−３の３つの映像データに分割する（ステップ２０６）。
【００３７】
さらに、ステップ２０４において、マルチアングル区間内に、番組＃１〜＃３の放送時間の一部にのみ重複時間帯Ｔ２，Ｔ３があること、すなわち、非重複時間帯Ｔ１，Ｔ４があることを検出した場合（ステップ２０７のＹｅｓ）、分割部２１は、図４に示すように、非重複時間帯Ｔ１，Ｔ４では、番組＃１〜＃３のいずれも放送されていない空白位置にダミーの映像データを挿入する（ステップ２０８）。なお、ダミーの映像データは特に限定されるものではないが、黒画面の映像データ、砂嵐といわれるノイズデータ、この空白位置には番組がないというメッセージを示す静止画データなどが望ましい。また、番組を格納する記録媒体（本実施形態ではＨＤＤ３０）のデータフォーマットの規格によっては、ある時間帯に実際に動画データをおかなくても、記録媒体に格納したデータの設定ファイルの数値によっては、その時間帯にデータが存在するかのように処理される規格があるため、この規格において、設定ファイルの数値設定を行うことのみで、上記の空白位置にダミーの映像データが存在するかのように処理させることとしても良い。
【００３８】
次に、エンコーダ２２は、分割部２１にて分割された番組＃１−１〜＃３−３の映像データを、ＭＰＥＧ−２形式の動画データである動画＃１−１〜＃３−３にそれぞれ変換し、さらに、分割部２１にて挿入されたダミーの映像データをＭＰＥＧ−２形式の動画データにそれぞれ変換する（ステップ２０９）。
【００３９】
このとき、エンコーダ２２は、番組＃１−１〜＃３−３の映像データのＭＰＥＧ−２化を行うに際し、重複時間帯Ｔ２におけるＭＰＥＧ−２形式の動画＃１−２、動画＃２−１、動画＃３−１のパケットに付加するＰＴＳが一致するように、かつ、重複時間帯Ｔ３におけるＭＰＥＧ−２形式の動画＃２−２、動画＃３−２のパケットに付加するＰＴＳが一致するようにＭＰＥＧ−２化を行う。
【００４０】
ここで、ＰＴＳとは、動画を再生するタイミングを示す情報である。エンコーダ２２は、重複時間帯における動画をマルチアングル映像として再生・表示することを可能とするために、重複時間帯における動画のＰＴＳを一致させる。なお、重複時間帯における動画には、実際に放送されていた時間ではなく、任意の時間がＰＴＳとして付加される。
【００４１】
その後、ファイル作成部２３は、図５に示すように、動画＃１−１〜＃１−２をアングル＃１、動画＃２−１〜＃２−２をアングル＃２、動画＃３−１〜＃３−３をアングル＃３で放送された映像とみなし、動画＃１−１〜＃３−３を１つに統合した動画統合ファイルを作成してＨＤＤ３０に格納する。さらに、これと同時に、動画統合ファイル内の動画＃３−１〜＃１−２をセルとして扱い、動画＃１−１〜＃３−３のインデックスとなる動画結合情報ファイルを作成してＨＤＤ３０に格納する（ステップ２１０）。
【００４２】
なお、動画統合ファイル内の動画＃１−１〜＃３−３は、図５に示すように再生順に必ずしも格納されているわけではなく、任意の順序で格納されている。したがって、再生時に動画統合ファイル内の動画＃１−１〜＃３−３を相互に結合するためには、動画結合情報が必須となる。動画結合情報の具体例としては、例えば、上記のステップ２０１で取得した各動画データのチャンネル番号、放送局、放送時間（１月１日ＡＭ８：００〜ＡＭ１０：００など）の他、各動画データの動画統合ファイル内の場所などが挙げられる。
【００４３】
図６を参照すると、以降、ユーザは、ＨＤＤ３０に格納されている番組＃１〜＃３を再生する場合、番組格納再生装置１内の不図示のインターフェースを介して、番組＃１〜＃３をランダムに切り換えて再生、視聴する旨を指示する（ステップ６０１）。
【００４４】
すると、番組再生部４０は、ＨＤＤ３０に動画結合情報ファイルとして格納されているインデックスに基づいて、ＨＤＤ３０に動画統合ファイルとして格納されている動画＃１−１〜＃３−３を、ユーザの指示に応じてアングル＃１〜＃３を切り換えて再生表示する（ステップ６０２）。
【００４５】
具体的には、番組再生部４０は、例えば、番組＃１の動画＃１−２の再生途中で番組＃２の再生が指示された場合、まず、ＨＤＤ３０に動画統合ファイルとして格納されているインデックスに基づいて、アングル＃１をアングル＃２に切り換える。そして、番組＃２の再生が指示された時点の動画＃１−２のＰＴＳに基づき、そのＰＴＳ位置ではアングル＃２内の動画＃２−１が放送されていたと判断し、そのＰＴＳ位置から動画＃２−１を再生表示する。
【００４６】
上述したように本実施形態においては、番組＃１〜＃３の中で最も早く放送が開始される番組の放送開始時刻と最も遅く放送が終了する番組の放送終了時刻との間の区間を、番組＃１〜＃３を互いに異なるアングルで放送しているマルチアングル区間とみなし、マルチアングル区間内の番組＃１〜＃３をマルチアングル映像としてＨＤＤ３０に格納しているため、番組再生部４０は、ＨＤＤ３０に格納された番組＃１〜＃３を、アングル＃１〜＃３を切り換えて再生表示することができる。これにより、ユーザは、リアルタイムのＴＶ放送を視聴する場合と同様に、複数の番組をランダムに切り換えるといった視聴スタイルで再生、視聴することができる。
【００４７】
また、本実施形態においては、重複時間帯Ｔ２，Ｔ３では、番組＃１〜＃３の放送時間の長さが一致するように分割し、また、非重複時間帯Ｔ１，Ｔ４では、番組＃１〜＃３のいずれも放送されていない空白位置にダミーの映像データを挿入しているため、マルチアングル映像の再生時に、マルチアングル区間内では総チャンネル数が常に同一であるものとしてアングル切り換えを行うことができる。
【００４８】
例えば、上記のようにダミーの映像データを挿入しない場合、重複時間帯Ｔ２では、アングルを切り換える度に、番組＃１→番組＃２→番組＃３→番組＃１→・・・と番組が順次変化することになるが、重複時間帯Ｔ３では、アングルを切り換える度に、番組＃２→番組＃３→番組＃２→番組＃３→・・・と番組が順次変化することになる。すなわち、重複時間帯Ｔ２では、総チャンネル数が３つであるものとしてアングル切り換えが行われるが、重複時間帯Ｔ３では、総チャンネル数が２つであるものとしてアングル切り換えが行われる。
【００４９】
これに対して、本実施形態においては、上記のようにダミーの映像データを挿入することにより、マルチアングル映像の再生時に、マルチアングル区間内の重複時間帯Ｔ２，Ｔ３および非重複時間帯Ｔ１，Ｔ４のいずれの時間帯でも、総チャンネル数が常に３つであるものとしてアングル切り換えが行われることになる。
【００５０】
また、本実施形態においては、分割した番組＃１〜＃３の動画に付加するＰＴＳが一致するようにＭＰＥＧ−２化を行い、かつ、その動画のインデックスを作成することにより、マルチアングル映像の再生時の便宜を図ることができる。
【００５１】
なお、本実施形態においては、番組＃１〜＃３を格納する記録媒体としてＨＤＤ３０を用いているため、上記の再生動作は番組格納再生装置１内の番組再生部４０にて行われる。ただし、本実施形態においては、記録媒体として、ＤＶＤや、ブルーレイディスク（ＢＤ）など移設可能な記録媒体を用いることが可能である。このように移設可能な記録媒体を用いた場合には、上記の再生動作は、番組格納再生装置１内の番組再生部４０で行われることもあり、また、番組格納再生装置１の外部に独立に番組再生部４０と同一の動作を行う再生装置を設け、その再生装置にて行われることもある。
【００５２】
また、本実施形態においては、３つのチューナ１０1〜１０3を設けているが、チューナの数に限定はなく、１つ以上であれば任意の数としても良い。また、チューナ１０1〜１０3のそれぞれがアンテナ経由でアナログ放送またはデジタル放送のＴＶ放送波を受信しているが、ネットワークやケーブルＴＶなど放送波とは異なる通信メディアを介して番組を受信することとしても良い。
【００５３】
また、本実施形態においては、３つのチューナ１０1〜１０3で受信した３つの番組＃１〜＃３の録画予約が指示されているため、マルチアングル映像のアングル数を３つとしているが、３つのチューナ１０1〜１０3のいずれか２つのチューナで受信した２つの番組の録画予約が指示された場合には、マルチアングル映像のアングル数を、チューナ数に相当する３つにすることとしても良く、または、実際に録画する番組数に相当する２つにすることとしても良い。
【００５４】
また、本実施形態においては、番組＃１〜＃３の映像をマルチアングル映像として格納しているが、デジタル放送やケーブルＴＶ放送で試験的に行われているマルチアングル放送の番組についても本発明を適用して番組を格納することができる。なお、実際のマルチアングル放送の番組は、全て同時刻に開始されて同時刻に終了するため、放送時間の全部が重複時間帯となる。
【００５５】
また、本実施形態においては、番組の数だけＨＤＤ３０内にバッファを用意し、バッファに番組を録画しながら、その番組を分割して、ＨＤＤ３０とは別の記録媒体であるＤＶＤに直接格納することも可能である。そのため、本発明をＤＶＤ＋ＶＲ（ＤＶＤ＋ＲＷ  Ｖｉｄｅｏ  Ｒｅｃｏｒｄｉｎｇ  Ｆｏｒｍａｔ）形式に適用することができる。
【００５６】
また、本実施形態においては、同時間帯に放送された複数の番組を格納することができるため、タイムシフト機能を備える記録装置に本発明を適用することができる。
【００５７】
また、本実施形態においては、番組の動画圧縮形式としてＭＰＥＧ−２形式を用いているが、動画圧縮形式として、ＰＴＳと同様の表示時刻情報を適用可能な形式であればＭＰＥＧ−２以外の形式を用いることとしても良い。
【００５８】
また、本実施形態においては、番組再生部４０による番組再生時に、例えば、アングル＃１をアングル＃２に切り換える場合、アングル＃２に対応する番組を放送していた放送局または当該放送局のチャンネルを同時に表示することとしても良い。これにより、ユーザは、リアルタイムのＴＶ放送を視聴する場合と同様の感覚で、複数の番組をランダムに切り換えて再生、視聴することができる。
【００５９】
なお、本発明においては、番組格納再生装置１内の処理は上述の専用のハードウェアにより実現されるもの以外に、その機能を実現するためのプログラムを番組格納再生装置１にて読取可能な記録媒体に記録し、この記録媒体に記録されたプログラムを番組格納再生装置１に読み込ませ、実行するものであっても良い。番組格納再生装置１にて読取可能な記録媒体とは、フロッピーディスク、光磁気ディスク、ＤＶＤ、ＣＤ、ブルーレイディスクなどの移設可能な記録媒体の他、番組格納再生装置１に内蔵されたＨＤＤなどを指す。
【図面の簡単な説明】
【００６０】
【図１】本発明の一実施形態による番組格納再生システムの構成を示す図である。
【図２】図１に示した番組格納再生システムの番組格納時の動作を説明するフローチャートである。
【図３】図１に示した番組格納再生システムの番組格納時の動作の中で、複数の番組の放送時間の重複時間帯を検出する時の動作を説明する図である。
【図４】図１に示した番組格納再生システムの番組格納時の動作の中で、複数の番組を分割する時の動作を説明する図である。
【図５】図１に示した番組格納再生システムの番組格納時の動作の中で、複数の番組をＨＤＤに格納する時の動作を説明する図である。
【図６】図１に示した番組格納再生システムの番組再生時の動作を説明するフローチャートである。
【符号の説明】
【００６１】
１    番組格納再生装置
１０1〜１０3    チューナ
２０    番組格納部
２１    分割部
２２    エンコーダ
２３    ファイル作成部
３０    ＨＤＤ
４０    番組再生部
【図１】
2005109685.tif 000003
【図２】
2005109685.tif 000004
【図３】
2005109685.tif 000005
【図４】
2005109685.tif 000006
【図５】
2005109685.tif 000007
【図６】
2005109685.tif 000008